(57)【要約】【課題】飲料容器内に収容された流体の流出または漏れを低減するための蓋を提供すること。【解決手段】蓋は、蓋の供給開口を開閉し、蓋の弁も開閉して、飲料容器からの流出または漏れを低減するアクチュエータを備える。アクチュエータが開かれるにつれて、供給開口が開蓋され、弁が開かれる。【選択図】なし【特許請求の範囲】
【請求項１】
蓋アセンブリであって、
蓋本体であって、前記蓋本体のくぼみ部、および前記蓋本体を貫通した供給開口を備える蓋本体と、
前記くぼみ部に対して可動的に係合されたアクチュエータであって、傾斜下面を備えるアクチュエータと、
弁ステムを有する弁本体を備える弁アセンブリであって、前記弁ステムは、前記弁本体を貫通するように構成される、弁アセンブリと、
前記蓋本体の空洞部内のステム保持具であって、傾斜上面を備え、前記弁ステムに係合するステム保持具と、
を備え、
前記アクチュエータの前記傾斜下面は、前記ステム保持具の前記傾斜上面の上に位置決めされる、蓋アセンブリ。
【請求項２】
前記アクチュエータは、前記供給開口を開閉するために、および前記弁アセンブリも開閉するために、前記くぼみ部に対して移動するように構成され、前記アクチュエータの前記傾斜下面は、前記ステム保持具を下方に駆動するように前記ステム保持具の前記傾斜上面に係合する、請求項１に記載の蓋アセンブリ。
【請求項３】
前記アクチュエータは、前記供給開口を開閉するために、および前記弁アセンブリも同時に開閉するために移動するように構成される、請求項１に記載の蓋アセンブリ。
【請求項４】
前記アクチュエータは、前記弁アセンブリを開閉するように構成される、請求項１に記載の蓋アセンブリ。
【請求項５】
前記アクチュエータは、開位置へおよび閉位置へ移動するように構成され、前記開位置において、前記アクチュエータは、前記供給開口を開蓋し、前記弁アセンブリを開き、前記閉位置において、前記アクチュエータは、前記供給開口を閉蓋し、前記弁アセンブリを閉じる、請求項１に記載の蓋アセンブリ。
【請求項６】
前記弁本体は、前記蓋本体の下方外壁部に当接して封止するように付勢部材により上方に付勢される、請求項１に記載の蓋アセンブリ。
【請求項７】
前記アクチュエータは、前記ステム保持具に接触し、前記付勢部材の前記付勢を克服し、前記弁本体を下方に付勢するように構成される、請求項６に記載の蓋アセンブリ。
【請求項８】
前記アクチュエータの下面が、前記弁ステムの上方端部を受け入れるチャネルを画定し、前記チャネルは、前記弁ステムの前記上方端部の移動を制限する、請求項１に記載の蓋アセンブリ。
【請求項９】
前記弁本体は、弁本体プレートから概ね垂直に延在する前記弁ステムを備え、前記弁ステムは、前記蓋本体の中央通路を貫通し、前記弁ステムの上方端部が、前記ステム保持具に解除可能に係止する、請求項１に記載の蓋アセンブリ。
【請求項１０】
付勢部材が、前記弁本体を上方に付勢するために前記空洞部の底部および前記ステム保持具に対して付勢する、請求項１に記載の蓋アセンブリ。
【請求項１１】
前記弁ステムは、前記付勢部材の内部を貫通し、前記付勢部材は、前記弁アセンブリを閉じるために前記弁本体を上方に付勢するために前記空洞部の底面および前記ステム保持具の下面に対して付勢する、請求項１０に記載の蓋アセンブリ。
【請求項１２】
前記くぼみ部は、突出部を有するくぼみ部側壁部を備え、前記アクチュエータは、バヨネットチャネルまで続くバヨネット開口を有する側壁部を備える、請求項１に記載の蓋アセンブリ。
【請求項１３】
前記くぼみ部側壁部の前記突出部は、前記蓋本体に対して前記アクチュエータを摺動可能に係止するために前記側壁部の前記バヨネット開口内に進入する、請求項１２に記載の蓋アセンブリ。
【請求項１４】
前記蓋本体は、リム開口を有するリムを備え、前記アクチュエータは、前記アクチュエータが開位置へ移動される場合に、前記リム開口を通って摺動し、または貫通する、請求項１に記載の蓋アセンブリ。
【請求項１５】
請求項１に記載の前記蓋アセンブリと、飲料容器とを備える、飲料容器アセンブリであって、前記蓋アセンブリは、前記飲料容器に対して係合するように構成される、飲料容器アセンブリ。
【請求項１６】
前記ステム保持具は、前記ステム保持具および前記弁ステムが係合された場合に、前記弁ステムに取外し可能に係合し、前記アクチュエータは、開位置から閉位置へ移動するように構成されるが、この位置において取外し可能には構成されない、請求項１に記載の蓋アセンブリ。
【請求項１７】
前記ステム保持具は、前記ステム保持具および前記弁ステムが係合されない場合に、前記蓋アセンブリが洗浄を容易にするために分解され得るように、前記弁ステムに取外し可能に係合する、請求項１に記載の蓋アセンブリ。
【請求項１８】
前記アクチュエータは、摺動部材、旋回部材、磁気アセンブリ、レバー部材、またはボタン部材からなる群より選択される、請求項１に記載の蓋アセンブリ。
【請求項１９】
蓋アセンブリであって、
蓋本体であって、前記蓋本体を貫通する供給開口を備える蓋本体と、
前記蓋本体に対して可動的に係合されたアクチュエータと、
弁ステムを有する弁本体を備える弁アセンブリと、
前記蓋本体の空洞部内に位置決めされたステム保持具であって、前記弁ステムに係合するステム保持具と、
を備え、
前記アクチュエータは、開位置へおよび閉位置へ移動するように構成され、
前記開位置において、前記アクチュエータは前記弁アセンブリを開き、前記閉位置において、前記アクチュエータは前記弁アセンブリを閉じる、蓋アセンブリ。
【請求項２０】
前記アクチュエータを作動させることにより、前記供給開口が開閉され、前記弁アセンブリも同時に開閉される、請求項１９に記載の蓋アセンブリ。
【請求項２１】
前記アクチュエータは、前記ステム保持具を下方に付勢することにより前記弁アセンブリを開く、請求項１９に記載の蓋アセンブリ。
【請求項２２】
付勢部材が、前記ステム保持具を上方に付勢するために前記空洞部の底面および前記ステム保持具の下面に対して付勢する、請求項１９に記載の蓋アセンブリ。
【請求項２３】
前記開位置において、前記アクチュエータは、前記ステム保持具に接触し、前記付勢部材の前記付勢を克服し、前記ステム保持具を下方に付勢する、請求項２２に記載の蓋アセンブリ。
【請求項２４】
前記アクチュエータは、バヨネット係合によりくぼみ部に対して可動的に係合される、請求項１９に記載の蓋アセンブリ。
【請求項２５】
蓋アセンブリであって、
蓋本体であって、前記蓋本体の上面中のくぼみ部、および前記蓋本体を貫通した供給開口を備える蓋本体と、
前記供給開口を閉蓋するために前記くぼみ部に対して可動的に係合されたアクチュエータであって、前記アクチュエータは下面を備え、前記下面は第１の傾斜部分を有する、アクチュエータと、
弁ステムを有する弁本体を備える弁アセンブリであって、前記弁ステムは、前記蓋本体の中央通路を貫通するように構成される、弁アセンブリと、
前記中央通路の上で前記蓋本体の空洞部内に位置決めされたステム保持具であって、前記ステム保持具は上面を備え、前記上面は第２の傾斜部分を有し、前記ステム保持具は前記弁ステムに係合する、ステム保持具と、
を備え、
前記アクチュエータの前記第１の傾斜部分は、前記ステム保持具の前記第２の傾斜部分の上に位置決めされる、蓋アセンブリ。
【請求項２６】
前記アクチュエータの開移動により、前記アクチュエータの前記第１の傾斜部分は、前記蓋本体を下方に駆動させるように前記ステム保持具の前記第２の傾斜部分に当接される、請求項２５に記載の蓋アセンブリ。
【請求項２７】
飲料容器用の蓋アセンブリであって、
蓋本体であって、前記蓋本体を貫通した供給開口を備える蓋本体と、
前記蓋本体に対して可動的に係合されたアクチュエータであって、傾斜下面を備えるアクチュエータと、
弁ステムを有する弁本体を備える弁アセンブリであって、前記弁ステムは、前記蓋本体を貫通するように構成される、弁アセンブリと、
前記蓋本体の空洞部内のステム保持具であって、傾斜上面を備え、前記弁ステムに係合するステム保持具と、
を備え、
前記アクチュエータの前記傾斜下面は、前記アクチュエータが作動される場合に、前記傾斜下面および前記傾斜上面が互いに対して摺動して、前記弁ステムおよび前記弁アセンブリの残りの部分の下方移動を生じさせ、前記下方移動が前記弁アセンブリを開いて前記弁アセンブリを通る液体の通過を可能にし、したがって、前記飲料容器から前記液体をユーザが飲むために前記液体が前記供給開口に到達するのを可能にするように、前記ステム保持具の前記傾斜上面の上に位置決めされる、蓋アセンブリ。
【請求項２８】
飲料容器用の蓋アセンブリであって、
蓋本体であって、前記蓋本体を貫通した供給開口を備える蓋本体と、
前記蓋本体に対して可動的に係合されたアクチュエータであって、傾斜下面を備えるアクチュエータと、
弁ステムを有する弁本体を備える弁アセンブリであって、前記弁ステムは、前記蓋本体を貫通するように構成される、弁アセンブリと、
前記蓋本体の空洞部内のステム保持具であって、傾斜上面を備え、前記弁ステムに係合するステム保持具と、
を備え、
前記アクチュエータの前記傾斜下面は、前記アクチュエータが作動される場合に、前記傾斜下面および前記傾斜上面が互いに対して摺動して、前記弁ステムおよび前記弁アセンブリの残りの部分の下方移動を生じさせ、前記下方移動が前記弁アセンブリを開いて前記弁アセンブリを通る液体の通過を可能にし、したがって、前記飲料容器から前記液体をユーザが飲むために前記液体が前記供給開口に到達するのを可能にするように、前記ステム保持具の前記傾斜上面の上に位置決めされる、蓋アセンブリ。
【請求項２９】
前記弁アセンブリは、単一ピース構造である、請求項２８に記載の蓋アセンブリ。
【請求項３０】
前記ステム保持具は、前記ステム保持具および前記弁ステムが係合されない場合に、前記蓋アセンブリが洗浄を容易にするために分解され得るように、前記弁ステムに取外し可能に係合可能である、請求項２８に記載の蓋アセンブリ。
【請求項３１】
飲料容器用の蓋アセンブリを分解する方法であって、
蓋アセンブリを用意するステップであって、前記蓋アセンブリは、蓋本体であって、前記蓋本体のくぼみ部、および前記蓋本体を貫通した供給開口を備える蓋本体と、前記くぼみ部に対して可動的に係合されたアクチュエータと、弁ステムを有する弁本体を備える弁アセンブリであって、前記弁ステムは、前記蓋本体を貫通するように構成される、弁アセンブリと、前記蓋本体の空洞部内のステム保持具であって、前記弁ステムに係合するステム保持具とを備える、ステップと、
前記ステム保持具から前記弁ステムを外すために前記弁本体を旋回させるステップと、
前記蓋本体から前記弁本体を引き、前記蓋本体の中央通路から前記弁ステムを引き抜くステップと、
を含む、方法。
【請求項３２】
前記弁本体を旋回させるステップと、前記ステム保持具の第２の係合部材から前記弁ステムの第１の係合部材を外すステップとをさらに含む、請求項３１に記載の方法。
【請求項３３】
前記アクチュエータの側壁部のバヨネット開口に、くぼみ部側壁部の突出部を位置合わせするように前記アクチュエータを移動させるステップと、前記蓋本体の前記くぼみ部から前記アクチュエータを取り外すステップとをさらに含む、請求項３１に記載の方法。
【請求項３４】
前記蓋本体の空洞部から前記ステム保持具および付勢部材を取り外すステップをさらに含む、請求項３１に記載の方法。
【請求項３５】
飲料容器用の蓋アセンブリを組み立てる方法であって、
蓋本体を用意するステップであって、前記蓋本体は、前記蓋本体の上面中のくぼみ部、前記蓋本体を貫通した供給開口、および前記蓋本体を貫通した中央通路を備える、ステップと、
前記供給開口を選択的に閉蓋するためのアクチュエータを用意するステップであって、前記アクチュエータは下面を備え、前記下面は第１の傾斜部分を有する、ステップと、
弁ステムを有する弁本体を備える弁アセンブリを用意するステップと、
上面を備えるステム保持具を用意するステップであって、前記上面は第２の傾斜部分を有する、ステップと、
前記中央通路に前記弁ステムを貫通させるステップと、
前記ステム保持具に対して前記弁ステムを係合するステップと、
前記くぼみ部に対して前記アクチュエータを係合するステップと、
前記ステム保持具の前記第２の傾斜部分の上に前記アクチュエータの前記第１の傾斜部分を位置決めするステップと、
を含む、方法。
【請求項３６】
前記蓋本体の前記中央通路の上に前記蓋本体の空洞部内に前記ステム保持具を位置決めするステップをさらに含む、請求項３５に記載の方法。
【請求項３７】
前記蓋本体に対して前記アクチュエータを摺動可能に係止するために、前記アクチュエータのバヨネット開口およびバヨネットチャネルに前記くぼみ部の突出部を係合させるステップをさらに含む、請求項３５に記載の方法。
【請求項３８】
前記蓋本体の下方外壁部に対して前記弁本体を封止するために前記弁本体を上方に付勢するステップをさらに含む、請求項３５に記載の方法。
【発明の詳細な説明】
【技術分野】
【０００１】
本発明は、飲料容器を閉じるためのアクチュエータを有する蓋に関する。
【背景技術】
【０００２】
いくつかの飲料容器は、飲料容器内に収容された流体の流出または漏れを防止または低減するための閉鎖機能または閉鎖構造を有する蓋を使用することが知られている。多くのかかる飲料容器は、逆さまにされたり、または倒されたりした場合に、依然として流出したり、または漏れたりし得る。多くのかかる飲料容器は、温かいうちに流体が膨張した場合に、または炭酸飲料を収容している場合に、依然として流出したり、または漏れたりし得る。
【発明の概要】
【課題を解決するための手段】
【０００３】
飲料容器を閉じるためのアクチュエータを有する蓋のいくつかの態様が、図示され、説明される。この蓋は、蓋の供給開口を開閉し、蓋の弁アセンブリも開閉して、飲料容器からの流出または漏れを低減するアクチュエータを備える。アクチュエータの本体および弁アセンブリは共に、飲料容器からの流出または漏れを個別に低減し得る。全てではないがいくつかの態様において、飲料は、飲料容器から出るために供給開口に到達する前に、初めに弁アセンブリを通過しなければならない。
【０００４】
アクチュエータは、供給開口を開閉するために、および弁アセンブリも開閉するために、ユーザにより移動される。ユーザがアクチュエータを移動させると、供給開口および弁アセンブリは、同時に開かれまたは閉じられ得る。したがって、アクチュエータの単一の動きにより、供給開口が開蓋され、弁アセンブリが開かれ得る。
【０００５】
弁アセンブリは、蓋を備えた飲料容器からの望ましくない流出または漏れに対する追加的な保護を与える。アクチュエータは、概して蓋を閉じ、望ましくない流出または漏れを低減し得る。弁アセンブリは、概して蓋をさらに閉じて、望ましくない流出または漏れを低減する。
【０００６】
いくつかの態様では、アクチュエータは、液体の通過を概して阻止するために供給開口の上方に位置決めされる。いくつかの態様では、例えば、液体飲料を格納した飲料容器に対して蓋が装着される場合に、弁アセンブリは、液体の下方からの通過を概して阻止するために供給開口の下方に位置決めされる。
【０００７】
弁アセンブリは、弁ステムを有する弁本体を備える。弁ステムは、蓋内に位置決めされたステム保持具に対して係合される。アクチュエータは、下面を備える。アクチュエータが蓋に対して移動すると、アクチュエータの下面は、ステム保持具に接触して弁アセンブリを開く。アクチュエータは、摺動部材、旋回部材、磁気アセンブリ、レバー部材、ボタン部材、または本技術分野において既知の他の要素であってもよい。実施形態に応じて、ユーザは、アクチュエータを押し、引き、摺動させ、旋回させ、回転させ、移動させ、または他の方法で作動させることにより、弁アセンブリを開き得る。
【０００８】
いくつかの態様では、弁アセンブリは、アクチュエータの下面がステム保持具に接触してステム保持具を下方に駆動し、さらにそれにより弁ステムおよび弁本体全体が下方に移動されて弁アセンブリを開く場合に、開かれる。いくつかの態様では、アクチュエータの下面は、傾斜したまたは角度をつけられた表面を有し、この傾斜したまたは角度をつけられた表面は、ステム保持具を下方に駆動するために傾斜したまたは角度をつけられた表面をやはり有するステム保持具の上面に係合する。他の態様では、アクチュエータの下面は、弁ステムに直接的に接触することにより弁ステムおよび弁本体の残りの部分を下方に駆動して弁アセンブリを開き得る。
【０００９】
一態様では、蓋アセンブリが説明される。蓋アセンブリは、蓋本体を備えてもよく、蓋本体は、蓋本体の上面中のくぼみ部と、蓋本体を貫通した供給開口とを有する。蓋アセンブリは、くぼみ部内に可動的に係合されたアクチュエータを備える。アクチュエータは、傾斜下面を備える。蓋アセンブリは、弁ステムを備える弁本体を有する弁アセンブリを備える。弁ステムは、蓋本体の少なくとも一部を貫通するように構成される。蓋アセンブリは、蓋本体の空洞部内にステム保持具を備える。ステム保持具は、傾斜上面を備える。ステム保持具は、弁ステムに係合する。アクチュエータの傾斜下面は、ステム保持具の傾斜上面の上に位置決めされる。アクチュエータの傾斜下面は、ステム保持具を下方に駆動するようにステム保持具の傾斜上面に係合する。
【００１０】
別の態様では、蓋アセンブリが説明される。蓋アセンブリは、蓋本体を備え、この蓋本体は、蓋本体の上面中のくぼみ部と、蓋本体を貫通した供給開口とを有し得る。アクチュエータが、くぼみ部に対して可動的に係合される。蓋アセンブリは、弁アセンブリを備え、弁アセンブリは、弁ステムを有する弁本体を備える。蓋アセンブリは、蓋本体の空洞部内に位置決めされたステム保持具を備える。ステム保持具は、弁ステムに係合する。アクチュエータは、開位置へおよび閉位置へ移動するように構成される。開位置において、アクチュエータは、供給開口を開蓋し、弁アセンブリを開く。閉位置において、アクチュエータは、供給開口を閉蓋し、弁アセンブリを閉じる。
【００１１】
さらなる態様では、蓋アセンブリが説明される。蓋アセンブリは、蓋本体を備え、蓋本体は、蓋本体の上面中のくぼみ部と、蓋本体を貫通した供給開口とを有する。アクチュエータが、供給開口を二者択一的に開きまたは閉蓋するように、くぼみ部に対して可動的に係合され得る。アクチュエータは、下面を備え、下面は、第１の傾斜部分を有する。蓋アセンブリは、弁本体を有する弁アセンブリを備え、この弁本体は、弁ステムおよび弁本体プレートを有し得る。弁ステムは、蓋本体の中央通路の少なくとも一部を貫通するように構成される。ステム保持具が、中央通路の上で蓋本体の空洞部内に位置決めされる。ステム保持具は、上面を備え、上面は、第２の傾斜部分を有する。ステム保持具は、弁ステムに係合する。アクチュエータの第１の傾斜部分は、ステム保持具の第２の傾斜部分の上に位置決めされる。アクチュエータの開移動により、アクチュエータの第１の傾斜部分は、蓋本体を下方に駆動するようにステム保持具の第２の傾斜部分に当接される。
【００１２】
いくつかの態様では、蓋アセンブリが、容易な洗浄または修理を可能にするために分解され得る。例えば、いくつかの態様では、ステム保持具は、弁ステムがステム保持具から完全に分離し得るように、弁ステムに取外し可能に係合し得る。かかる態様では、弁本体が、単一ピース構造を有する場合に、このピースは、ステム保持具から弁ステムを外すときに完全に取外し可能である。いくつかの態様では、やはり弁ステムおよびステム保持具を装着解除するときに、ステム保持具、弁本体、および蓋本体が、洗浄または交換／修理のために互いからおよび他の蓋構成要素から分離され得る。また、アクチュエータは、やはり洗浄、修理、または交換され得るように、蓋に装着解除可能に係合可能であってもよい。
【図面の簡単な説明】
【００１３】
【図１】飲料容器アセンブリの斜視図である。
【図２】アクチュエータが開位置へ移動された状態の飲料容器アセンブリの斜視図である。
【図３】飲料容器アセンブリの分解図である。
【図４】蓋アセンブリの側面図である。
【図５】飲料容器アセンブリの上面図である。
【図６】アクチュエータが開位置へ移動された状態の飲料容器アセンブリの上面図である。
【図７】蓋アセンブリの上方分解図である。
【図８】蓋アセンブリの下方分解図である。
【図９】アクチュエータが閉位置にある状態の蓋アセンブリの断面図である。
【図１０】アクチュエータが開位置へ移動された状態の蓋アセンブリの断面図である。
【図１１】弁アセンブリの分解図である。
【発明を実施するための形態】
【００１４】
本願において、相対的な位置を説明するいかなる用語（例えば「上方の」、「中間の」、「下方の」、「外側の」、「内側の」、「上方に」、「下方に」、「底部」、「頂部」、等）も、図示されるような本発明の一態様に言及するものであり、それらの用語は、実施形態が使用され得る向きを限定するものではない。
【００１５】
以下、図１〜図１１を参照して、飲料容器アセンブリ１０を説明する。飲料容器アセンブリ１０は、飲料を保持するための飲料容器５０と、飲料容器５０を選択的に閉じるための蓋アセンブリ１００とを備える。蓋アセンブリ１００は、飲料容器アセンブリ１０を形成するために飲料容器５０に係合し得る。
【００１６】
蓋アセンブリ１００は、蓋アセンブリ１００の供給開口２２０を開閉し、さらに蓋アセンブリ１００の弁アセンブリ４００を作動させるアクチュエータ３００を備える。アクチュエータ３００は、弁アセンブリ４００を開くと同時に、供給開口２２０を開蓋し、または開くように移動する。アクチュエータ３００の下面３４０が、供給開口２２０を塞ぎ、または閉蓋する。弁アセンブリ４００は、アクチュエータ３００が供給開口２２０を閉蓋する閉位置にある場合に、飲料容器アセンブリ１０の漏れに対する追加的な保護を与える。他の態様では、アクチュエータ３００は、弁アセンブリ４００を単に開閉するだけであり、供給開口２２０を塞ぐこと、または閉蓋することまではしない。
【００１７】
アクチュエータ３００は、摺動部材、旋回部材、磁気アセンブリ、レバー部材、ボタン部材、または本技術分野において既知の他の要素であってもよい。実施形態に応じて、ユーザは、アクチュエータ３００を押す、引く、摺動させる、旋回させる、回転させる、移動させる、または他の方法で作動させることにより、弁アセンブリ４００を開き、および／または供給開口２２０を閉蓋させ得る。
【００１８】
摺動部材として構成されたアクチュエータ３００が、弁アセンブリ４００を開くと同時に、供給開口２２０を開蓋し、または開くように、概ね側方に移動し得る。アクチュエータ３００は、飲料容器５０の垂直軸に対して概ね垂直に移動し得る。アクチュエータ３００が最大限度まで完全に移動されると、アクチュエータ３００の一部分が、蓋アセンブリ１００の蓋本体２００のリム２４０を越えて延出し得る。アクチュエータ３００の開移動において、アクチュエータ３００は、蓋本体２００の中心からリム２４０に向かって外側に移動する。他の態様では、アクチュエータ３００の摺動部材が、上方蓋表面の周縁よりも小さいくぼみ部内においてのみ摺動する。かかるタイプの摺動部材は、かかる摺動部材をユーザが移動させることを容易にするためのハンドルを備え得る。
【００１９】
図１〜図３に示すように、蓋アセンブリ１００は、蓋本体２００を備える。蓋本体２００は、飲料容器５０の開口５２を閉じるように形状設定され構成される。蓋本体２００は、飲料容器５０の係合部材５６に取外し可能に係合する係合部材２３２を形成する下方外壁部２３０を備える。この態様では、下方外壁部２３０は、飲料容器５０の開口５２に進入する。係合部材２３２および係合部材５６は、ねじ係合、スナップ嵌め係合、摩擦係合、バヨネット係合、または飲料容器５０に対して蓋本体２００を選択的に装着するように構成された他の係合の相補的構成要素を備え得る。
【００２０】
次に、図７を参照して蓋アセンブリ１００を説明する。蓋アセンブリ１００は、供給開口２２０を備える蓋本体２００を備える。供給開口２２０は、開いている場合に液体がこの供給開口２２０を通過させ得るように、蓋本体２００の上面２０２から蓋本体２００を貫通し蓋本体２００の下面２０４まで概ね延在する。供給開口２２０は、蓋アセンブリ１００の意図される使用に応じて様々にサイズ設定または構成され得る。例えば、蓋アセンブリ１００が、より小型容積の飲料容器５０と共に使用されるように意図されるか、または高温飲料用に意図される場合には、供給開口２２０は、より小型寸法の開口を備え得る。例えば、蓋アセンブリ１００が、冷温飲料用に意図されたより大型容積の飲料容器５０と共に使用されるように意図される場合には、供給開口２２０は、より大型寸法の開口を備え得る。蓋本体２００の上面２０２は、供給開口２２０に向かって概ね傾斜してもまたは角度をなしてもよく、これは、液滴が供給開口２２０を通り下方へ流れ戻るのを補助する。
【００２１】
蓋本体２００は、供給開口２２０を開閉するために摺動自在に移動するように本態様では摺動部材として構成されたアクチュエータ３００を備える。アクチュエータ３００は、蓋本体２００に対して可動的に係合される。図示する蓋本体２００は、可動係合においてアクチュエータ３００を受け入れるくぼみ部２１０を上面２０２中に備える。くぼみ部２１０は、アクチュエータ３００に取外し可能に係合する突出部２１４を有するくぼみ部側壁部２１２を備える。くぼみ部２１０の底面２１６は、蓋アセンブリ１００が飲料容器５０に対して係合される場合に飲料容器５０の内部に通気を与えるための通気開口２１８を備える。通気開口２１８は、空気またはガスが通り逃げることを可能にするために、くぼみ部底面２１６全体を貫通して走る。
【００２２】
蓋本体２００は、係合部材２３２を形成する下方外壁部２３０をさらに備える。この態様では、下方外壁部２３０は、飲料容器５０の内壁部５８に対して係合する。
【００２３】
図２に示すように、蓋本体２００は、リム開口２４２を有するリム２４０をさらに備える。アクチュエータ３００は、開位置へ移動される場合に、リム開口２４２を通り摺動し得るまたは通過し得る。リム開口２４２は、アクチュエータ３００またはその一部分をリム開口２４２に通過させ得るようにサイズ設定される。図４に示すように、蓋本体２００は、飲料容器５０の上方リム５９に当接して封止する、リム２４０の下方に位置決めされた蓋ガスケット２４８をさらに備える。
【００２４】
図１１に示すように、蓋本体２００は、空洞部２６０をさらに備える。蓋本体２００は、空洞部２６０を形成するようにくぼみ部底面２１６の下方に延在する下降壁部２６２を備える。空洞部２６０は、ステム保持具４４０を受け入れるようにサイズ設定および形状設定される。空洞部２６０は、蓋本体２００を貫通する中央通路２６８を画定するガイド部材２６６（図７に示す）を有した下方内面２６４を備える。
【００２５】
いくつかの態様では、アクチュエータ３００は、アクチュエータ３００の上面３３０から上方に延在するタブ３１０を備える。タブ３１０の内側部分は、テクスチャードグリップ３１２を備え得る。タブ３１０は、アクチュエータ３００を開位置または閉位置へ移動させるためにユーザが押すまたは保持することを可能にするようにサイズ設定および形状設定される。
【００２６】
いくつかの態様では、アクチュエータ３００の本体は、バヨネットチャネル３２４まで続くバヨネット開口３２２を有する側壁部３２０を備える。図示するように、アクチュエータ３００のいくつかの態様は、複数のバヨネット開口３２２およびそれぞれのバヨネットチャネル３２４を備える（場合によっては各側壁部３２０上に１つのみ、２つ、またはそれ以上）。アクチュエータ３００が蓋本体２００に対して係合されると、くぼみ部側壁部２１２の突出部２１４は、側壁部３２０のバヨネット開口３２２内に進んで、蓋本体２００に対してアクチュエータ３００を摺動可能に係止する。アクチュエータ３００が蓋本体２００に対して摺動することにより、突出部２１４は、バヨネット開口３２２からバヨネットチャネル３２４内へ進入し、このバヨネットチャネル３２４は、突出部２１４のある長さの移動を可能にする。
【００２７】
図８を参照すると、アクチュエータ３００は、下方傾斜面３５０を形成する下面３４０をさらに備える。下面３４０は、チャネル３６０をさらに備える。チャネル３６０は、第１のチャネル端部３６２および第２のチャネル端部３６４を備える。アクチュエータ３００が蓋本体２００に対して摺動すると、下方傾斜面３５０は、ステム保持具４４０の上方傾斜面４５０に対して付勢することにより弁アセンブリ４００を開く。以下で説明されるように、第１のチャネル端部３６２および第２のチャネル端部３６４は、アクチュエータ３００の摺動移動に対して制限を与える。
【００２８】
次に、図１１を参照して弁アセンブリ４００を説明する。弁アセンブリ４００は、弁本体４１０を備える。弁本体４１０は、弁本体プレート４３０から延在する弁ステム４２０を備える。弁ステム４２０は、弁本体プレート４３０に対して概ね垂直に延在し得る。いくつかの態様では、弁ステム４２０は、弁本体プレート４３０に対して一体的に成形され得る。代替的な態様では、弁ステム４２０および弁本体プレート４３０は、本技術分野において既知の何らかの連結構造を有する２つの別個のピースであってもよい。さらなる態様では、ステム保持具が、一体的に成形された下降ステムを有することが可能であり、弁本体プレート（別個のピース）は、本技術分野において既知の任意の適切な連結構造により取外し可能に連結され得る。
【００２９】
弁本体プレートガスケット４３４が、弁本体プレート４３０の外縁部の周囲に位置決めされ得る。弁本体プレート４３０は、１つまたは複数のフランジ４３６を備え得る。図８に示すように、フランジ４３６は、弁本体プレート４３０の底面上に形成される。フランジ４３６は、ユーザがステム保持具４４０から弁ステム４２０を係合解除するために弁本体４１０を回転させたい場合に便利な把持表面を提供する。
【００３０】
弁ステム４２０は、蓋本体２００の中央通路２６８を通り空洞部２６０内のステム保持具４４０内へ進入し、ステム保持具４４０に係合する。弁ステム４２０の上方端部４２２は、ステム保持具４４０の係合部材４７６に係止係合する係合部材４２４を備える。係合部材４７６は、ステム保持具４４０の開口４７０の内側開口表面４７４中に位置決めされ得る、またはこの内側開口表面４７４上に形成され得る。係合部材４２４および４７６は、ツイストロック式、バヨネット式、ねじ式、または他の取外し可能な係止係合の相補的構成要素を備え得る。組立後に、弁ステム４２０（およびしたがって、それら構成要素が単一ピース構造を形成する場合には弁本体４１０の残りの部分）は、洗浄のためにステム保持具４４０から取り外され得る。
【００３１】
動作時に、弁本体４１０は、蓋本体２００の下方に位置決めされる。弁ステム４２０は、ステムガスケット４９０およびガイド部材２６６の中央通路２６８を通過する。弁ステム４２０の上方端部４２２は、ステム保持具４４０に解除可能に係止する。付勢部材４８０は、アクチュエータ３００が閉位置にある場合に飲料容器アセンブリ１０の漏れを低減する閉位置へ弁本体４１０を付勢する。付勢部材４８０は、コイルばね、磁石対、または他の付勢部材もしくはばねを備え得る。いくつかの態様では、付勢部材４８０は、閉位置へ上方に弁本体４１０を付勢する。
【００３２】
図９では、弁アセンブリ４００は、弁本体４１０が蓋本体２００の下方外壁部２３０の下方端部２３４に対して付勢されることにより閉じられる。図１０では、蓋本体２００が、下方に移動されて弁本体プレートガスケット４３４と蓋本体２００の下方外壁部２３０の下方端部２３４との間における流体移動用の間隙を形成することにより、流体通路５００が開く。
【００３３】
図９および図１０に示すように、流体通路５００は、弁本体４１０を移動することにより開閉される。流体通路５００は、弁本体プレートガスケット４３４と蓋本体２００の下方外壁部２３０の下方端部２３４との間に形成される。閉位置にある場合に、弁本体プレートガスケット４３４は、下方端部２３４と飲料容器５０の内壁部５８の一方または両方に対して擦れ合い得るまたは封止し得る。弁本体４１０が、開位置へ移動するアクチュエータ３００により下方に移動されると、流体通路５００が開かれる。アクチュエータ３００が閉位置へ移動されると、付勢部材４８０は、飲料容器５０からの液体の望ましくない流出または漏れを低減するように流体通路５００を閉じる閉位置へ上方に弁本体４１０を付勢する。
【００３４】
一般的に、飲料容器アセンブリ１０内に収容された流体は、供給開口２２０に到達し得る前に流体通路５００を通過しなければならない。流体通路５００を通る流体の流れは、弁本体４１０により制御され、いくつかの態様では、供給開口２２０を通る流体の流れは、アクチュエータ３００により制御される。したがって、飲料容器アセンブリ１０の蓋アセンブリ１００は、飲料容器５０からの液体の望ましくない流出または漏れを停止するために複数の制止部または手段を提供する。
【００３５】
この態様では、付勢部材４８０の下方端部４８４は、空洞部２６０の下方内面２６４に対して付勢する。付勢部材４８０は、空洞部２６０のガイド部材２６６上に嵌められ、弁ステム４２０は、付勢部材４８０の内部を通過し得る。付勢部材４８０の上方端部４８２は、ステム保持具４４０の下面４６０中に形成された溝４６４に対して付勢し、これによりステム保持具４４０が上方に駆動され得る。
【００３６】
摺動部材実施形態として構成されるアクチュエータ３００が、蓋本体２００に対して摺動可能に移動されると、弁ステム４２０の上方端部４２２は、アクチュエータ３００の下面３４０のチャネル３６０内に位置決めされる。チャネル３６０の長さが、アクチュエータ３００の移動量を限定する。アクチュエータ３００は、弁ステム４２０の上方端部４２２の側部表面がチャネル３６０の第１のチャネル端部３６２および第２のチャネル端部３６４に接触するまで側方に移動し得る。
【００３７】
アクチュエータ３００が開位置へ移動すると、アクチュエータ３００の下方傾斜面３５０は、ステム保持具４４０の上方傾斜面４５０に対して付勢される。図９および図１０は、下方傾斜面３５０および上方傾斜面４５０の係合を示す。この係合により、ステム保持具４４０は、下方に駆動され（付勢部材４８０の付勢を克服して）、同様に弁ステム４２０は下方に駆動されて、流体通路５００を開く。図９および図１０の態様では、アクチュエータ３００は、開位置に置かれるべく右側へ移動している。アクチュエータ３００が右側に移動することにより、下方傾斜面３５０のより大きなセクションが上方傾斜面４５０のより大きなセクションを押圧する。上方傾斜面４５０を押圧する下方傾斜面３５０の係合は、アクチュエータ３００の概ね側方への移動をステム保持具４４０の下方移動へ変換する。下方傾斜面３５０および上方傾斜面４５０は、２つの連携するウェッジまたはランプを形成し、これらのウェッジまたはランプは、アクチュエータ３００の開移動を変換して弁アセンブリ４００をさらに開く。
【００３８】
図示するようなアクチュエータ３００の開移動の最中に、アクチュエータ３００は、アクチュエータ３００の側壁部３２０のバヨネット開口３２２およびバヨネットチャネル３２４に蓋本体２００のくぼみ部側壁部２１２の突出部２１４が係合することによって、蓋本体２００に対して保持される。上方傾斜面４５０を押圧する下方傾斜面３５０の係合による力は、下方に逃がされる。したがって、アクチュエータ３００の概ね側方への移動は、弁本体４１０を下方に付勢する。
【００３９】
蓋アセンブリ１００は、洗浄のために容易に分解され得る。蓋アセンブリ１００は、初めに飲料容器５０から取り外される。弁本体４１０が、ステム保持具４４０の係合部材４７６から弁ステム４２０の係合部材４２４を外すために旋回される。弁本体４１０が、蓋本体２００から引かれ、弁ステム４２０が、ガイド部材２６６の中央通路２６８から引き抜かれる。次に、アクチュエータ３００が、側壁部３２０のバヨネット開口３２２にくぼみ部側壁部２１２の突出部２１４を位置合わせするように移動される。このとき、摺動部材３００は、蓋本体２００中のくぼみ部２１０から取り外され得る。次いで、ステム保持具４４０および付勢部材４８０が、空洞部２６０から取り外され得る。いくつかの態様では、これらの分解ステップは、好ましくはまたは最も効果的には本段落内に特定される順序で行われる。なぜならば、弁本体４１０が存在しない場合には、アクチュエータ３００を蓋本体２００から取り外すことができないからである。図示する実施形態における弁本体４１０の取外し前に、弁ステム４２０は、第２のチャネル端部３６４に相接し、これにより、容易な取外しが可能となる位置（例えばアクチュエータ３００は、バヨネット開口３２２が突出部２１４と位置合わせされる場合に容易に取り外され得る）へのアクチュエータ３００の移動が概ね阻止される。
【００４０】
蓋アセンブリ１００を組み立てるために、付勢部材４８０が、空洞部２６０内におよびガイド部材２６６の周囲に配置される。ステム保持具４４０は、付勢部材４８０を覆って空洞部２６０内に配置される。次に、アクチュエータ３００が、くぼみ部側壁部２１２の突出部２１４が側壁部３２０のバヨネット開口３２２に位置合わせされた状態で、蓋本体２００のくぼみ部２１０内に位置決めされる。アクチュエータ３００は、蓋本体２００に対して移動され、突出部２１４は、バヨネット開口３２２からバヨネットチャネル３２４内に進入し、これにより蓋本体２００に対してアクチュエータ３００が係止される。次いで、弁ステム４２０の上方端部４２２が、蓋本体２００の中央通路２６８の下方開口２６９内に挿入され、弁ステム４２０は、上方端部４２２がステム保持具４４０の開口４７０内に位置するまで、中央通路２６８に通される。弁本体４１０が、ステム保持具４４０の係合部材４７６に弁ステム４２０の係合部材４２４を係合させるように旋回される。いくつかの態様では、これらの組立ステップは、好ましくはまたは最も効果的には、本段落内に特定される順序で行われる。
【００４１】
そのため、本開示は、本明細書において説明される特定の態様に限定されず、様々な変更および修正が、以下の特許請求の範囲により定義されるようなこの新規のコンセプトの趣旨および範囲から逸脱することなくなされ得る点を理解されたい。さらに、本出願人の開示の多数の他の利点が、上述の説明および添付の特許請求の範囲から当業者には明らかになろう。
【符号の説明】
【００４２】
１０  飲料容器アセンブリ
５０  飲料容器
５２  開口
５６  係合部材
５８  内壁部
５９  上方リム
１００  蓋アセンブリ
２００  蓋本体
２０２  上面
２０４  下面
２１０  くぼみ部
２１２  くぼみ部側壁部
２１４  突出部
２１６  くぼみ部底面
２１８  通気開口
２２０  供給開口
２３０  下方外壁部
２３２  係合部材
２３４  下方端部
２４０  リム
２４２  リム開口
２４８  蓋ガスケット
２６０  空洞部
２６２  下降壁部
２６４  下方内面
２６６  ガイド部材
２６８  中央通路
２６９  下方開口
３００  アクチュエータ、摺動部材
３１０  タブ
３１２  テクスチャードグリップ
３２０  側壁部
３２２  バヨネット開口
３２４  バヨネットチャネル
３３０  上面
３４０  下面
３５０  下方傾斜面
３６０  チャネル
３６２  第１のチャネル端部
３６４  第２のチャネル端部
４００  弁アセンブリ
４１０  弁本体
４２０  弁ステム
４２２  上方端部
４２４  係合部材
４３０  弁本体プレート
４３４  弁本体プレートガスケット
４３６  フランジ
４４０  ステム保持具
４５０  上方傾斜面
４６０  下面
４６４  溝
４７０  開口
４７４  内側開口表面
４７６  係合部材
４８０  付勢部材
４８２  上方端部
４８４  下方端部
４９０  ステムガスケット
５００  流体通路
【図１】
2020037452.tif 000002
【図２】
2020037452.tif 000003
【図３】
2020037452.tif 000004
【図４】
2020037452.tif 000005
【図５】
2020037452.tif 000006
【図６】
2020037452.tif 000007
【図７】
2020037452.tif 000008
【図８】
2020037452.tif 000009
【図９】
2020037452.tif 000010
【図１０】
2020037452.tif 000011
【図１１】
2020037452.tif 000012
【外国語明細書】
2020037452000001.pdf